(57)【要約】【課題】      容易にオキアミのブロックが砕きやすく、また、オキアミのブロックに刺さったプレ−ト部を引き抜きやすい釣り餌カッタ−を提供すること。【解決手段】  プレ−ト部１とプレ−ト部１の基端部に回動自在に嵌合された軸部２のネジ孔に螺合で取り付けられた柄部３と柄部３に固定された握り部４で形成され、プレ−ト部１は合成樹脂の基部５に金属製の刃部６の後半部がインサ−ト成形で埋設されて固定されている。  合成樹脂の基部５の表面と裏面の左右側縁に沿って立ち上がる壁部５ｅが設けられて後側の基端部５ａ側になるに従って高くなる楔形に形成されている。【選択図】        図１０
2005130796.tif 000002
【特許請求の範囲】
【請求項１】
柄部にプレ−ト部を取り付けた釣り餌カッタ−において、前記プレ−ト部の表面と裏面の左右側縁に沿って立ち上がる壁を設けたことを特徴とする釣り餌カッタ−。
【請求項２】
壁はプレ−ト部の基端側になるに従って高くなることを特徴とする請求項１記載の釣り餌カッタ−。
【発明の詳細な説明】
【技術分野】
【０００１】
本発明は、凍った餌を砕き易くした釣り餌カッタ−の改良に関する。
【背景技術】
【０００２】
従来から釣り餌を作成する時、特に撒き餌においては、粉末状の釣り餌の中にオキアミ等を配合することが多々ある。
このオキアミは凍った状態でブロック状に固められているため釣り餌に配合する前にこれを砕く必要があった。
このため、特許文献１のような釣餌用のカッタ−のプレ−ト部（カッタ−板）の先端側でオキアミのブロックに割れ目を入れるべく突くこととなるが、プレ−ト部は平板で形成されているので、プレ−ト部の先端部で突いてもオキアミのブロックに溝ができるだけでオキアミのヒゲやアシが絡んで凍っているブロックがなかなか砕けないのが実情であった。
さらに、プレ−ト部が凍ったオキアミのブロックの溝に深く刺さると溝内に張り付いて引き抜きにくくなることがあった。
【特許文献１】実公平７−４２３０６号公報
【発明の開示】
【発明が解決しようとする課題】
【０００３】
解決しようとする問題点は、平板状のプレ−ト部の先端部で突いてもオキアミのブロックに溝ができるだけでオキアミのヒゲやアシが絡んでブロックがなかなか砕けず、また、プレ−ト部が溝に深く刺さると引き抜きにくくなることである。
【０００４】
本発明の目的は前記欠点に鑑み、容易にオキアミのブロックが砕きやすく、また、オキアミのブロックに刺さったプレ−ト部を引き抜きやすい釣り餌カッタ−を提供することである。
【課題を解決するための手段】
【０００５】
本発明の請求項１は、柄部にプレ−ト部を取り付けた釣り餌カッタ−において、前記プレ−ト部の表面と裏面の左右側縁に沿って立ち上がる壁を設けたことを要旨とするものである。
本発明の請求項２は、壁はプレ−ト部の基端側になるに従って高くなることを要旨とするものである。
【発明の効果】
【０００６】
本発明により、プレ−ト部の表面と裏面の左右側縁に沿って立ち上がる壁部を設けたので、凍った状態のオキアミのブロックを砕き易く、オキアミのブロックに刺さったプレ−ト部を引き抜き易い。
【発明を実施するための最良の形態】
【０００７】
釣り餌カッタ−は、手の平形状のプレ−ト部１とプレ−ト部１の基端部に回動自在に嵌合された軸部２のネジ孔２ａに螺合で取り付けられた柄部３と柄部３に固定された握り部４で形成されている。
プレ−ト部１は合成樹脂の基部５に金属製の刃部６の後半部６ａがインサ−ト成形で埋設されて固定されている。
合成樹脂の基部５の形状は、基端部５ａがＵ字形に形成されて縦溝５ｂの幅は柄部３の太さより幾分幅広く形成され、縦溝５ｂを横切るように透孔５ｃが穿設されて軸部２が嵌合されている。
基端部５ａの前側には両側に手の平形に開いた平板部５ｄと表面と裏面の左右側縁に沿って立ち上がる壁部５ｅ、５ｅと、表側で前方から基端部５ａに延びた縦溝５ｂの前側の両側の２本のリブ５ｆ、５ｆと、裏側で前方から基端部５ａに延びた突出部５ｇからなり、壁部５ｅ、５ｅと２本のリブ５ｆ、５ｆと突出部５ｇは夫々後側の基端部５ａ側になるに従って高くなる楔形に形成されている。
【実施例１】
【０００８】
以下、図示の一実施例によって本発明を説明すると、図１は釣り餌カッタ−の表側の平面図とプレ−ト部の拡大平面図、図２は釣り餌カッタ−の裏面図とプレ−ト部の拡大裏面図、図３は釣り餌カッタ−の側面図とプレ−ト部の拡大側面図、図４は図１のＦ４−Ｆ４断面線のプレ−ト部の拡大断面側面図、図５は図１のＦ５−Ｆ５断面線のプレ−ト部の拡大断面側面図、図６はプレ−ト部の刃側の正面図、図７はプレ−ト部の柄部側の背面図、図８はプレ−ト部が柄部に対して略直角に折り畳まれた要部断面側面図と要部拡大断面側面図、図９はプレ−ト部に柄部が折り畳まれた要部断面側面図と要部拡大断面側面図、図１０は凍ったオキアミのブロックを砕く説明図である。
【０００９】
釣り餌カッタ−は手の平形状のプレ−ト部１とプレ−ト部１の基端部に回動自在に嵌合された軸部２のネジ孔２ａに螺合で取り付けられた柄部３と柄部３に固定された握り部４で形成されている。
プレ−ト部１は合成樹脂の基部５に金属製の刃部６の後半部６ａがインサ−ト成形で埋設されて固定されている。
合成樹脂の基部５の形状は、基端部５ａがＵ字形に形成されて縦溝５ｂの幅は柄部３の太さより幾分幅広く形成され、縦溝５ｂを横切るように透孔５ｃが穿設されて軸部２が嵌合されている。
【００１０】
基端部５ａの前側には両側に手の平形に開いた平板部５ｄと表面と裏面の左右側縁に沿って立ち上がる壁部５ｅ、５ｅと、表側で前方から基端部５ａに延びた縦溝５ｂの前側の両側の２本のリブ５ｆ、５ｆと、裏側で前方から基端部５ａに延びた突出部５ｇからなり、壁部５ｅ、５ｅと２本のリブ５ｆ、５ｆと突出部５ｇは夫々後側の基端部５ａ側になるに従って高くなる楔形に形成されている。
２本のリブ５ｆ、５ｆの間には縦溝５ｂとつながる溝５ｈが形成されている。
壁部５ｅ、５ｅは、プレ−ト部１（基端部５ａ）の左右側縁から、プレ−ト部１の表面と裏面側に、プレ−ト部１と交わる方向に突出し、プレ−ト部１（基端部５ａ）の左右側縁に沿って基端部５ａまで連続して形成されている。
【００１１】
合成樹脂の基部５の平板部５ｄの両面には大小の突起５ｉ、５ｊが形成されている。
大小の突起５ｉ、５ｊが形成されていると、砕いたり、撹拌する時に餌が平板部５ｄ表面から剥離し易い。
柄部３の先端にはネジ部３ａが形成され、ネジ部３ａより握り部４側に台部７が固定されている。
握り部４は握り易いように固定されている。
【００１２】
釣り餌カッタ−は、プレ−ト部１を柄部３の先端に水平に取り付ける時は、図１から図５のように合成樹脂の基部５の基端部５ａの後端面に台部７を押し付けるようにネジ部３ａを軸部２のネジ孔２ａに螺合する。
このようにプレ−ト部１を柄部３の先端に水平に取り付けた時は、図１０のようにプレ−ト部１を下側にして垂直に握り部４持って、凍った状態のオキアミのブロック８に金属製の刃部６の先端部６ｂを押し打てて砕く時に使用する。
図８のようにプレ−ト部１を柄部３の先端に直角に取り付ける時は、粉末状の釣り餌の中にオキアミ等を配合する時に撹拌に使用する。
釣り餌カッタ−を携帯する時は、図９のようにプレ−ト部１を柄部３の先端に折り畳む。
【００１３】
壁部５ｅ、５ｅは、プレ−ト部１（基端部５ａ）の左右側縁から、プレ−ト部１の表面と裏面側に、プレ−ト部１と交わる方向に突出し、プレ−ト部１（基端部５ａ）の左右側縁に沿って基端部５ａまで連続して形成されているので、このため、オキアミのブロック８を砕くときは、プレ−ト部１の先端部６ｂで突いて溝を作り割ることとなるが、壁部５ｅ、５ｅを有しているため、ブロック８の突いて作った溝の幅を広げやすく、容易にひびを入れることができるためオキアミのブロック８を割りやすい（砕きやすい）。
また、プレ−ト部１と溝の間に間隙ができやすくなるため、プレ−ト部１がオキアミのブロック８に深く刺さってもプレ−ト部１の両側の面が溝の中でオキアミのブロック８に張り付きにくくなり、容易に引き抜くことができる。
したがって、オキアミのブロック８を砕く作業が容易になる。
【００１４】
しかも、壁部５ｅ、５ｅは、プレ−ト部１の先端部６ｂ側（刃部６側）から基端部５ａ側（柄部３を取り付けた側）になるにつれて高くなるように形成されていることから、プレ−ト部１の先端部６ｂで突いてオキアミのブロック８に溝を作ると、プレ−ト部１が溝の奥に向けて差し込まれていくと、壁部５ｅ、５ｅの高さが増すにしたがって徐々に溝を広げられるため、溝の奥にひび割れを作りやすくなりオキアミのブロック８を砕きやすい。
さらに、オキアミのブロック８にできる溝は、開口側が広くなるため溝を外れずに突きやすくなる。
また、壁部５ｅ、５ｅは、その先端が先細り状になって立ち上がるように形成されているため、プレ−ト部１が溝に差し込まれていく時に抵抗が少なく容易に差し込むことができる。
【００１５】
前記のように釣り餌カッタ−が構成されると、プレ−ト部１の合成樹脂の基部５は表面と裏面の左右側縁に沿って立ち上がる壁部５ｅ、５ｅと、表側で前方から基端部５ａに延びた縦溝５ｂの両側の２本のリブ５ｆ、５ｆと、裏側で前方から基端部５ａに延びた突出部５ｇが夫々後側の基端部５ａ側になるに従って高くなる楔形に形成されているので、凍った状態のオキアミブロック８を砕く時砕き易い。
【００１６】
前記説明ではプレ−ト部１は合成樹脂の基部５に金属製の刃部６の後半部６ａがインサ−ト成形で埋設されて固定されている構造としたが、プレ−ト部１全体を合成樹脂又は金属で形成してもよい。
【産業上の利用可能性】
【００１７】
釣り具全般に実施できる。
【図面の簡単な説明】
【００１８】
【図１】釣り餌カッタ−の表側の平面図とプレ−ト部の拡大平面図である。
【図２】釣り餌カッタ−の裏面図とプレ−ト部の拡大裏面図である。
【図３】釣り餌カッタ−の側面図とプレ−ト部の拡大側面図である。
【図４】図１のＦ４−Ｆ４断面線のプレ−ト部の拡大断面側面図である。
【図５】図１のＦ５−Ｆ５断面線のプレ−ト部の拡大断面側面図である。
【図６】プレ−ト部の刃側の正面図である。
【図７】プレ−ト部の柄部側の背面図である。
【図８】プレ−ト部が柄部に対して略直角に折り畳まれた要部断面側面図と要部拡大断面側面図である。
【図９】プレ−ト部に柄部が折り畳まれた要部断面側面図と要部拡大断面側面図である。
【図１０】凍ったオキアミブロックを砕く説明図である。
【符号の説明】
【００１９】
１  プレ−ト部
３  柄部
５ａ  基端部
５ｅ  表面と裏面の左右側縁に沿って立ち上がる壁部
【図１】
2005130796.tif 000003
【図２】
2005130796.tif 000004
【図３】
2005130796.tif 000005
【図４】
2005130796.tif 000006
【図５】
2005130796.tif 000007
【図６】
2005130796.tif 000008
【図７】
2005130796.tif 000009
【図８】
2005130796.tif 000010
【図９】
2005130796.tif 000011
【図１０】
2005130796.tif 000012